(57)【要約】      （修正有）【課題】台紙上に戴置された物品を、専用機械などを用いることなく、伸縮性のあるポリウレタンフィルムなどのフィルムを用いることで、台紙上に戴置された物品を保持固定し、台紙表面からの取出しをも可能とする。【解決手段】台紙１とフィルム２を溶着接合してなる、本発明の収納容器とするに際し、台紙１の側面を構成する、長手側面の片方の端部に、長手側面巾としたフィルム２を溶着接合し、そこから、相対するもう一方の長手側面部の、台紙中央とを仕切る略罫線上とにフィルム２を溶着接合し、さらに続くつまみしろとなるつまみしろ部までの長さとしたので、台紙上に戴置され、フィルムで被覆され保持固定された物品を、つまみしろ部３をつまんでフィルム２を台紙１から引き剥がすことで、台紙天面から取出し可能な構造とした。【選択図】図１
2018024468.tif 000002
【特許請求の範囲】
【請求項１】
ダンボール板やボール紙や、プラスチィクダンボール板や樹脂発泡板など、任意な素材、形状、厚さから成る板状材料に、井桁形状となるよう山折、谷折等とする罫線や切込み等を施し、また必要に応じて、収納物品の保持固定を補助等するための切り込みや破断線などを施した任意な大きさ寸法の台紙と、任意な巾とした一枚または複数枚のポリウレタンフィルムなどの伸縮性のあるフィルムの、その表面はフラット状や凹凸状、また直線、曲線などのスリットや、楕円形などの任意な形状となる切込みを、一ヶ所または複数ヶ所施したフィルムとを主たる構成材料として、台紙井桁形状中央部は、物品戴置部、その周囲四面は物品戴置側面であり、四方側面の相対する二方側面の片方側面端部に、包装すべき物品を戴置し保持固定するに十分な巾としたフィルム端部を溶着等任意な方法で接合し、そのフィルム長さは、その側面端部から相対する側面端部へと向かう中央物品戴置部、側面部への長さに、また必要に応じて、台紙とフィルムを引き剥がすなどの目的のつまみしろ部とする任意な長さを加えた長さとし、つまみしろ部手前の側面部と中央物品戴置部を仕切る略罫線上等、任意な位置に溶着等任意な方法で接合したので、台紙に施された井桁罫線の相対する二方側面部を略９０度立ち上げて得られた、台紙とフィルムとの空間に、包装すべき物品を戴置し、立ち上げた両側面を、台紙裏側に略２７０度折り返すことで、戴置された物品はフィルムの伸張、収縮力により、保持固定されるし、残る二方側面も戴置面に略９０度立ち上げることで、より保持固定され、また、戴置物品の取出しには、フィルムの長さを、台紙からつまんで引き剥がせるつまみしろを加えた長さとした構造としたので、つまみしろ部を引っ張るなどで、台紙からの引き剥がしが可能となり、戴置物品の天面からの取出しが可能としたことを特徴とする収納容器である。
【請求項２】
請求項１に示す台紙とフィルムとを主たる構成材料として、台紙は二の字形状の三分割台紙となるよう山折り、谷折り等とする罫線や切込み等を施し、二の字幅の側面部とする端面から、相対する側面部端面までの長さ、または、必要に応じて台紙とフィルムとを引き剥がすなどの目的の、つまみしろ部とする任意な長さを加えた長さとしたフィルムを、略台紙二の字巾とし、その側面部とする端部に、溶着等の任意な方法で接合し、物品戴置部と相対する側面部とを仕切る略罫線上等、任意な位置に溶着等任意な方法で接合したので、台紙の両側面部を略９０度立ち上げて得られた空間に、包装すべき物品を戴置し、立ち上げた両側面を、台紙裏側に略２７０度折り返すことで戴置された物品は保持固定され、戴置物品の取出しにはフィルム長さを、台紙からの引き剥がし部となるつまみしろ部を加えた構造としたのでつまみしろ部をつまみ、引っ張るなどすることで、容易に台紙から引き剥がすことが可能となり、戴置物品の天面からの取出しが可能としたことを特徴とする収納容器である。
【請求項３】
台紙の表面だけでなく，裏面にも請求項１または請求項２に示す構造を施したことを特徴とした収納容器であり、または、台紙表面は請求項１または請求項２に示す構造を施しながら、その台紙裏面には請求項１または請求項２に示すポリウレタンフィルムなどのフィルム等を用いず、台紙表面の機能を損なわない範囲で、台紙に戴置される物品を保持固定させるなどとするミシン目や、破断線となる切り込み等、任意な加工を施した構造とすることで、戴置物品の形状や大小の違いにも、一枚の台紙で共用させ得ることを可能としたことを特徴とする収納容器である。
【発明の詳細な説明】
【技術分野】
【０００１】  本発明は、台紙上に戴置した物品を、ポリウレタンフィルムなどの伸縮フィルムで被覆、保持固定しながらも、容器天面からの取出しを可能とする収納容器に関するものである。
【背景技術】
【０００２】  保持固定台紙上に物品を保持固定するには、熱可塑性フィルムを用いるスキンパックやブリスターパックなどの固定方法によるものが実用に供されている。【０００３】  しかし、上記いずれの方法も熱可塑性フィルムを用い、台紙上に戴置された物品表面上に被覆過熱収縮、或は真空ポンプなどの吸引装置で吸引固定、成形させて固定させるものであり、それぞれフィルム専用の機械設備が必要であり、台紙天面からの取出しが出来ない欠点があった。【０００４】  保持固定する台紙上に戴置した物品を保持固定する方法として、この欠点はそれぞれ専用のフィルムと、それぞれ専用の金型などと、機械設備など多額な投資資金が必要となり、問題があった。【０００５】  この改善策として、専用の機械、金型などを用いることなく、台紙とポリウレタンフィルムとで、収納物品を保持固定させる方法である。図２、図４は任意な素材からなる台紙に、山折り、谷折りなどとなる折込み罫線を井桁形状や二の字形状として施し、包装すべき物品を戴置する台紙の、四方あるいは二方側面部を構成する内の、相対する二方側面の巾とし、台紙とフィルムを引き剥がす、つまみしろとなるつまみ部分もある長さとした伸縮性のあるポリウレタンフィルムを、任意な位置に接合し、収納される物品を、台紙に井桁形状に施した、二方側面となる折罫線などを立上げて得られる空間中央上に戴置し、その後、台紙側面とした側面部を、台紙裏側に反転固定することで、フィルムが伸張するので、物品を台紙上に保持固定させられ、台紙とフィルムとを引き剥がし、容器天面からの物品の取出しなどとするつまみしろ部分を、フィルムの任意な端部に取付ける構造としたので専用の機械設備を用いることなく作成される
【特許文献１】特開２０１４−１５１９１７号公報
【特許文献２】特開２０１６−０９４２７号公報
【特許文献３】特開２００６−２６４７２号公報
【発明の開示】
【発明が解決しようとする課題】
【０００６】  解決しようとする問題点は、台紙上に戴置した物品を保持固定するのに、専用の機械、金型など高額な設備を必要とせず、また、台紙上に戴置された物品の天面からの取出しを可能とする点である。
【課題を解決しようとする手段】
【０００７】  本発明は、専用の機械、金型等の設備を準備することなく、台紙上に戴置された物品を保持固定する手段として、ポリウレタンフィルム等、伸縮性のあるフィルムと、物品を戴置する山折り、谷折り等とする折り罫線を施した台紙とを主たる構成材料とし、その台紙には、戴置物品の体積寸法に応じた寸法で、中央戴置部と、そこを囲む四方側面部などを構成し、四方側面部の内の二方側面部となる台紙端部から、相対する二方側面部端部の任意な位置に、容器開封つまみしろ部と成る部分を残してフィルムを接合したので、二方両側面部を立上げると得られる台紙とフィルムとの空間、中央戴置部に物品を戴置し、立ち上げた二方両側面部を台紙裏側に反転させることでフィルムは、物品の体積に応じて伸張し、物品を保持固定させられ、そして戴置された物品の取出しには、物品上に被覆されたフィルムの端部に、つまみしろ部とした部分を引っ張るなどして台紙から容易に引き離される構造としたので、容器天面から戴置物品を取出せる構造とした収納容器としたことを最も主要な特徴とする。
【発明の効果】
【０００８】  本発明の収納容器は、高額な専用機械設備等を準備すること無く、ポリウレタンフィルムなど伸縮性のあるフィルムを、井桁状等とする罫線等や、台紙に戴置する物品を、より保持固定させるための効果を補助する空間を得るためのミシン目などの破断線を施した台紙に接合し、台紙の相対する二方側面部を立ち上げ立上げ得られた空間に物品を戴置し、その後立上げた側面部を台紙裏側に反転することで、フィルムは伸張し、物品が保持固定される効果を得られるという利点があり、物品上に被覆されたフィルムの端部には、台紙とフィルムとを引き剥がす、つまみしろとなるつまみしろ部を設けたので、そのつまみしろ部分を引っ張るなどすることで、台紙からフィルムが引き剥がされ、戴置された物品は、容器天面から容易に取出される効果を得られる。
【発明を実施するための最良の形態】
【０００９】  井桁状の山折り、谷折りとなる罫線を施したＥフルートダンボールシートを、物品を戴置する台紙とし、戴置物品を被覆するポリウレタンフィルムの巾は、台紙に施された罫線の長手側面部巾として、またその長さは、台紙の一方向の長手側面部端部に溶着接合し、そして井桁中央部の相対する長手側面部とする略罫線上の位置にも溶着接合し、さらに台紙とフィルムを引き剥がすなどとする、つまみしろ部を加えた長さの構造としたので、井桁状の罫線を施した台紙の長手両側面部を立上げ、台紙とフィルムとの間にできた空間中央に物品を戴置し、長手両側面部を台紙裏側に折り返すことでフィルムは伸張し、戴置された物品は保持固定され、さらに両短側面部を略９０度表面上に向け立上げることで、戴置された物品はより保持固定される収納容器となり、更にその収納容器を内に収める外箱に収めることで、立ち上げた短側面部もより保持され、その後の収納容器から戴置物品の天面からの取出しには、フィルム端部のつまみしろ部を引っ張るなどして、台紙とフィルムを引き剥がすことで、収納物品の収納容器天面から取出しも可能な収納容器となることを実現した。
【実施例１】
【０００９】  図１は、本発明の斜視図であり、請求項１の状態を具現化したもので、井桁状の折罫線を施した台紙の長手側面部の端部に、ポリウレタンフィルムの端部を合わせて溶着接合し、さらに台紙中央部を経て、前記長手側面部に相対する長手側面部とする略罫線上にも溶着接合し、つまみしろ部となる長さとした状態を示し、台紙中央部に物品を戴置できる構造とした収納容器に物品を戴置し、ポリウレタンフィルムで被覆しその収縮力で保持固定した状態を示したものである。
【産業上の利用可能性】
【００１０】  物品戴置板とする台紙上に戴置された物品を、伸縮性のあるポリウレタンフィルムなどで被覆し、保持固定された形状としたので、物流保管時などに於ける外部、内部からの衝撃、振動などからの緩衝効果をも得られ、また収納容器天面からの取出しも、フィルム端部に設けた取出しつまみしろ部分を引っ張るなどすることで、フィルムは台紙から剥し易く出来る構造としたので、台紙天面からも取出し可能としたので作業性が良くなり汎用性が広がる。
【図面の簡単な説明】
【００１１】
【図１】台紙上に物品を戴置し、ポリウレタンフィルムで被覆し、保持固定した状態を示す収納容器斜視図である。（実施例１）
【図２】図１に示す斜視図の、台紙に井桁形状の罫線、戴置物品を被覆し、保持固定するポリウレタンフィルム等で構成された台紙の展開図である。
【図３】図１に示す収納容器斜視図から、側面立上げ部分を削除した収納容器とした斜視図である。
【図４】図３に示す斜視図の、台紙に二の字形状の罫線、戴置物品を被覆し、保持固定するポリウレタンフィルム等で構成された台紙の展開図である。
【符号の説明】
【００１２】  １  台紙
２  フィルム
３  フィルム  つまみしろ部
４  台紙とフィルム接合部
５  台紙  罫線部
６  戴置物品
ａ  長手側面部
ａ−１  ａ長手側面部に相対する側面部
ｂ  短手側面部
ｂ−１  ｂ短手側面部に相対する側面部
ｃ  戴置部
ｄ  側面反転部
【図１】
2018024468.tif 000003
【図２】
2018024468.tif 000004
【図３】
2018024468.tif 000005
【図４】
2018024468.tif 000006